(57)【要約】【課題】操作部材の回転操作の開始を検出する操作検出部の操作感触を向上させつつ小型化を図る。【解決手段】レンズユニット１００は、レンズ１０１ａが設けられる光学系１０１の固定筒１６０に対して回転可能な操作リング１０４と、操作リング１０４の操作を検出する操作検出部１０５とを有し、操作検出部１０５は、操作リング１０４に接しており回転が伝達されて回転する弾性回転部材１３１と、弾性回転部材１３１の回転中心線１４１に平行な方向に弾性回転部材１４１と操作リング１０４とを互いに接近する向きに付勢するチャージバネ１４６と、弾性回転部材１３１の回転を検出する回転検出部１３２とを有する。【選択図】図２
2016118576.tif 000002
【特許請求の範囲】
【請求項１】
レンズが設けられる光学系の筐体に対して回転可能な操作部材と、
前記操作部材の操作を検出する操作検出部と、
を有し、
前記操作検出部は、
前記操作部材に接しており、前記操作部材の回転が伝達されて回転する回転部材と、
前記回転部材の回転中心線に平行な方向に、前記回転部材と前記操作部材とを互いに接近する向きに付勢する付勢手段と、
前記回転部材の回転を検出する回転検出手段と、
を有することを特徴とするレンズユニット。
【請求項２】
前記回転部材と前記操作部材との接触面は、前記回転部材の回転中心線に対して傾斜していることを特徴とする請求項１に記載のレンズユニット。
【請求項３】
前記回転部材には、前記回転中心線に対して傾斜する面で構成される円錐面を有し、
前記操作部材には、前記回転中心線に対して傾斜する傾斜面を有し、
前記回転部材の前記円錐面と、前記操作部材の前記傾斜面とが接触していることを特徴とする請求項２に記載のレンズユニット。
【請求項４】
前記回転検出手段は、
外周面に電気的な導通部と非導通部が設けられ、前記回転部材と一体に回転する第１の電極と、
前記第１の電極の外周面に接触する第２の電極および第３の電極と、
を有し、
前記回転部材の回転に伴って前記第２の電極と前記第３の電極の前記第１の電極を介した導通状態が切替わることを特徴とする請求項１から３のいずれか１項に記載のレンズユニット。
【請求項５】
前記第１の電極は、回転の円周方向の全周にわたって電気的な導通部が設けられる全部導通領域と、回転の円周方向に沿って電気的な導通部と非導通部が配列される部分導通領域と、を有し、
前記第２の電極は前記全部導通領域に接しており、前記第３の電極は前記部分導通領域に接しており、
前記第３の電極が前記部分導通領域の前記導通部に接触するか前記非導通部に接触するかによって、前記第２の電極と前記第３の電極との導通状態が切替わることを特徴とする請求項４に記載のレンズユニット。
【請求項６】
撮影可能モードと低消費電力モードとの少なくとも２つの動作モードと、
前記回転検出手段による前記操作部材の操作の検出の結果に基づいて前記動作モードを切替える第１の切替手段と、
をさらに有することを特徴とする請求項１から５のいずれか１項に記載のレンズユニット。
【請求項７】
撮影可能モードと低消費電力モードとの少なくとも２つの動作モードと、
前記回転検出手段による前記操作部材の操作の検出の結果に基づいて前記動作モードを切替える第１の切替手段と、
をさらに有し、
前記第１の切替手段は、前記第２の電極と前記第３の電極との導通状態の変化を検出すると、前記動作モードが前記低消費電力モードである場合には前記撮影可能モードに復帰させることを特徴とする請求項４から６のいずれか１項に記載のレンズユニット。
【請求項８】
前記全部導通領域と前記部分導通領域とは前記第１の電極の回転中心線に平行な方向に並べて設けられ、
２つの前記第３の電極は、前記部分導通領域の前記導通部に同時に接触せず、前記第１の電極と前記第３の電極とが前記回転中心線に平行な方向に相対的に移動すると、２つの前記第３の電極のそれぞれの少なくとも一部分が前記全部導通領域の前記導通部に接触して前記第２の電極と２つの前記第３の電極のそれぞれが導通し、
前記第１の切替手段は、前記第２の電極と２つの前記第３の電極の両方との導通を検出すると、動作モードが低消費電力モードである場合には撮影可能モードに復帰させることを特徴とする請求項５に記載のレンズユニット。
【請求項９】
請求項１から８のいずれか１項に記載のレンズユニットと、
動作モードとして少なくとも撮影可能モードおよび低消費電力モードを有するカメラ本体と、
前記カメラ本体の前記動作モードを切替える第２の切替手段と、
を有し、
前記第２の切替手段は、前記操作検出部の前記回転検出手段による前記回転部材の回転の検出の結果に基づいて、前記カメラ本体の前記動作モードを切替えることを特徴とするカメラシステム。
【請求項１０】
前記第２の切替手段は、前記回転検出手段により前記回転部材の回転を検出すると、前記カメラ本体の前記動作モードが低消費電力モードである場合には前記撮影可能モードに復帰させることを特徴とする請求項９に記載のカメラシステム。
【発明の詳細な説明】
【技術分野】
【０００１】
本発明は、レンズユニットおよびカメラシステムに関する。特には、レンズユニットに設けられる操作リングの回転操作の開始の検出に関する。
【背景技術】
【０００２】
カメラシステムにおけるレンズユニットのズームやフォーカスの操作は、レンズユニットに設けられる操作リングを回転操作することで行われる。近年、静音化などの観点から、操作リングの回転運動を機械的にレンズの直進運動に変換するのではなく、操作リングの回転操作量を検出し、検出した回転操作量に応じてレンズを駆動する構成（パワーズーム、パワーフォーカス）のレンズユニットが開発されている。ところで、このようなカメラシステムにおいて、カメラ本体やレンズユニットに対する操作が所定の時間にわたって行われない場合には、消費電力を抑えるためにレンズユニットを低消費電力モードに移行させるものがある。そして、前述のような操作リングの回転操作量に応じてレンズを駆動する構成においては、低消費電力モードから復帰するための起動検出が必要となる。特許文献１には、操作リングへの入力によってレンズを低消費電力モードから復帰させる操作検出部を設ける構成が開示されている。特許文献１に記載の構成は、操作リングから起動検出部への回転の伝達において、ゴムなどの弾性体を用いることにより、操作感触を向上させるものである。しかしながら、特許文献１に記載の構成では、転動伝達において必要な転動面を付勢する構造が複雑となるため、操作検出部が大型化する。
【先行技術文献】
【特許文献】
【０００３】
【特許文献１】特開平０９−１９７２４５号公報
【発明の概要】
【発明が解決しようとする課題】
【０００４】
上記実情に鑑み、本発明が解決しようとする課題は、操作リングの回転操作の開始を検出する操作検出部を有するレンズユニットにおいて、操作リングの操作感触の向上を図りつつ、操作検出部の小型化を図ることである。
【課題を解決するための手段】
【０００５】
上記課題を解決するため、本発明は、レンズが設けられる光学系の筐体に対して回転可能な操作部材と、前記操作部材の操作を検出する操作検出部と、を有し、前記操作検出部は、前記操作部材に接しており、前記操作部材の回転が伝達されて回転する回転部材と、前記回転部材の回転中心線に平行な方向に、前記回転部材と前記操作部材とを互いに接近する向きに付勢する付勢手段と、前記回転部材の回転を検出する回転検出手段と、を有することを特徴とする。
【発明の効果】
【０００６】
本発明によれば、操作リングの回転操作の開始を検出する操作検出部を有するレンズユニットにおいて、操作リングの操作感触の向上を図りつつ、操作検出部の小型化を図ることができる。
【図面の簡単な説明】
【０００７】
【図１】第１の実施形態のカメラシステムの構成例を示すブロック図である。
【図２】第１の実施形態の操作検出部の構成例を示す図である。
【図３】比較例の操作検出部の構成を示す図である。
【図４】第１の実施形態におけるガタの吸収を模式的に示す図である。
【図５】回転量検出部を模式的に示す図である。
【図６】電極パターンの構成例を模式的に示す図である。
【図７】操作検出部において検出される信号の例を示す図である。
【図８】電気回路の例を示す図である。
【図９】レンズ制御部の制御の例を示すフローチャートである。
【図１０】ブラシ電極と円筒電極の位置関係と検出信号の関係を模式的に示す図である。
【図１１】第２の実施形態の操作検出部の構成例を模式的に示す図である。
【発明を実施するための形態】
【０００８】
＜第１の実施形態＞
まず、本発明の第１の実施形態に係るカメラシステム１の構成例について、図１を参照して説明する。図１は、第１の実施形態に係るカメラシステム１の構成例を示すブロック図である。図１に示すように、第１の実施形態に係るカメラシステム１は、カメラ本体１２０と、カメラ本体１２０に着脱可能な交換レンズであるレンズユニット１００とを有する。カメラ本体１２０とレンズユニット１００とは、電気接点１１０を介して制御信号などを送受信する。
【０００９】
（レンズユニットの全体構成）
レンズユニット１００は、レンズ制御部１０８と、光学系１０１と、レンズ駆動部１０３と、操作リング１０４と、操作検出部１０５と、回転量検出部１０６と、リセットＩＣ１０７とを有する。
【００１０】
レンズ制御部１０８は、レンズユニット１００の各部を制御する。レンズ制御部１０８には、例えば、ＣＰＵとＲＯＭとＲＡＭとを有するコンピュータが適用される。ＲＯＭには、レンズユニット１００を制御するためのコンピュータプログラムが格納されている。ＣＰＵは、ＲＯＭに格納されるコンピュータプログラムを読み出し、ＲＡＭに展開して実行する。これにより、後述する制御を含め、レンズユニット１００の制御が実現する。また、カメラ本体１２０のカメラシステム制御部１２３と、電気接点１１０を介して信号の送受信を行う。なお、レンズ制御部１０８は、例えばワンチップマイコンなどが適用されてもよい。
【００１１】
光学系１０１は、複数のレンズ１０１ａから構成される。光学系１０１の複数のレンズ１０１ａには、ズームレンズやフォーカスレンズが含まれる。レンズ駆動部１０３は、レンズ駆動手段の例であり、レンズ制御部１０８の制御にしたがい、光学系１０１に含まれるズームレンズやフォーカスレンズを、光学系１０１の光軸１０２の方向に駆動する。これにより、フォーカス調整やズームが実行される。なお、レンズ駆動部１０３の構成は、従来公知の構成が適用できる。
【００１２】
操作リング１０４は、操作者（使用者）が把持して回転させる操作部材である。操作リング１０４は、レンズユニット１００の筐体（例えば、レンズ鏡筒やレンズユニットの外装）に、光学系１０１と同軸に回転可能に設けられる。操作リング１０４には、後述する傾斜転動部１０４ａおよび櫛歯部１０４ｂが設けられる。操作検出部１０５は、操作検出手段の例であり、操作者による操作リング１０４の操作開始を検出する。操作検出部１０５は、図２（ｂ）に示すように、弾性回転部材１３１と、回転検出手段の例である回転開始検出部１３２とを有する。弾性回転部材１３１および回転開始検出部１３２の構成、機能および動作については後述する。回転量検出部１０６は、操作リング１０４の回転量と回転方向を検出する。リセットＩＣ１０７は、操作検出部１０５からの信号を処理し、レンズ制御部１０８に所定の信号を送信する。レンズ制御部１０８は、リセットＩＣ１０７からの信号を受け、操作検出部１０５および回転量検出部１０６の状態の管理や、レンズユニット１００の動作モードの切替えを行う。すなわち、レンズ制御部１０８は、第１の錐化手段の例として機能する。なお、リセットＩＣ１０７が実行する処理については後述する。
【００１３】
本実施形態に係るレンズユニット１００は、パワーズーム方式のレンズユニットである。レンズ制御部１０８は、回転量検出部１０６により、操作部材の例である操作リング１０４の回転量および回転方向を検出し、その検出結果に応じてレンズ駆動部１０３を制御する。これにより、光学系１０１に含まれるズームレンズを移動させ、倍率（画角）を変更する。
【００１４】
（カメラ本体の全体構成）
カメラ本体１２０は、カメラシステム制御部１２３と、撮像素子１２１と、画像処理部１２２と、記憶部１２４と、操作部１２５とを有する。
【００１５】
カメラシステム制御部１２３は、カメラシステム１の全体の制御を行う。また、カメラシステム制御部１２３は、動作モードを切替える第２の切替手段の例として機能する。カメラシステム制御部１２３には、例えば、ＣＰＵとＲＯＭとＲＡＭとを有するコンピュータが適用される。このコンピュータのＲＯＭには、カメラシステム１を制御するためのコンピュータプログラムが格納されている。ＣＰＵは、ＲＯＭからこのコンピュータプログラムを読み出し、ＲＡＭをワークエリアとして用いて実行する。これにより、カメラシステム１の制御が実現する。なお、カメラシステム制御部１２３には、ワンチップマイコンが適用されてもよい。
【００１６】
撮像素子１２１は、光学系１０１に導かれた光束（被写体の光学像）を受光し、受光した光束の光電変換を行う。画像処理部１２２は、撮像素子１２１からの信号を画像信号へと変換する。記憶部１２４は、画像信号などを格納する。記憶部１２４には、ＤＲＡＭなどの内部メモリとＳＤカードなどの外付け記憶装置が適用される。操作部１２５は、操作者がカメラシステム１への操作入力を行う部分である。操作部１２５には、カメラ本体１２０の電源のＯＮ／ＯＦＦを操作する電源ボタンが含まれる。
【００１７】
（カメラシステムの動作モード）
カメラシステム制御部１２３は、電源ボタンへの電源をＯＮまたはＯＦＦにする操作を検出すると、カメラシステム１の全体の電気的動作をＯＮまたはＯＦＦの状態に切替える。カメラシステム制御部１２３は、電源がＯＮの場合の動作モードとして、撮影可能モードと低消費電力モードの２つの動作モードを有する。撮影可能モードは、撮影動作の準備が行われている動作モードである。低消費電力モードは、消費電力を抑えるために一部の電子デバイスへの電力供給を抑えている動作モードである。カメラシステム制御部１２３は、電源をＯＮにする操作（電源ボタンへの操作）を検出すると、各部に電力を供給し、撮影動作が可能な撮影可能モードになる。そして、カメラシステム制御部１２３は、撮影可能モードにおいて操作部１２５への操作が所定の時間にわたって検出されなかった場合には、動作モードを撮影可能モードから低消費電力モードに切替える。このように、カメラシステム制御部１２３は、カメラシステム１の動作モードを切替える切替手段として機能する。
【００１８】
なお、レンズユニット１００のレンズ制御部１０８も、レンズユニット１００の動作モードとして、撮影動作の準備が行われている撮影可能モードと、消費電力を抑制する低消費電力モードとを有する。レンズ制御部１０８は、低消費電力モードにおいては、回転量検出部１０６などの電子デバイスへの電気供給を抑える。そして、本実施形態では、レンズ制御部１０８が、レンズユニット１００の動作モードを低消費電力モードから撮影可能モードに復帰させる第２の切替手段として機能する。
【００１９】
（操作リングと操作検出部）
次に、レンズユニット１００の操作リング１０４および操作検出部１０５の構成について説明する。
【００２０】
図２は、操作部材の例である操作リング１０４と操作検出部１０５の機構を模式的に示す図である。なお、図２（ａ）は斜視図であり、図２（ｂ）は断面図である。操作リング１０４は、円筒状の構成を有し、レンズユニット１００の筐体など（例えば、レンズ鏡筒や外装部材）に回転可能に設けられる。なお、操作リング１０４の回転中心線１６１（図５参照）と光学系１０１の光軸１０２とは一致している。操作リング１０４の内周側には、傾斜転動部１０４ａが一体に設けられる。傾斜転動部１０４ａは、操作リング１０４の回転中心線１６１に対して傾斜する傾斜面であり、操作リング１０４の内周側に、その円周方向に延伸するように設けられる。
【００２１】
操作リング１０４の内側には、弾性回転部材１３１と第１の電極の例である円筒電極１４２とが、レンズユニット１００の筐体を構成する固定筒１６０に対して回転可能に配置される。また、弾性回転部材１３１と円筒電極１４２とは、一体に回転する。具体的には図２（ｂ）に示すように、固定筒１６０には光軸方向に離れた２つの軸受部１４４が設けられ、これら２つの軸受部１４４にシャフト１４０の両端部が支持されている。そして、弾性回転部材１３１と円筒電極１４２とが、シャフト１４０および軸受部１４４を介して、固定筒１６０に回転可能に支持される。弾性回転部材１３１と円筒電極１４２とは、シャフト１４０の軸線方向（回転中心線１４１に平行な方向）に並べて設けられる。そして、弾性回転部材１３１と円筒電極１４２とは結合しており、一体に回転する。なお、本実施形態においては、操作リング１０４の回転中心線１６１と、弾性回転部材１３１および円筒電極１４２の回転中心線１４１とは平行である。なお、弾性回転部材１３１および円筒電極１４２は、軸受部１４４（固定筒１６０）に対して、回転中心線１４１に平行な方向にある程度の移動が許容される。例えば、シャフト１４０の両端部が２つの軸受部１４４に形成される軸受穴に挿通されており、シャフト１４０は、軸受部１４４に対して軸受穴の中心線の方向にスライド式に往復動できる。
【００２２】
弾性回転部材１３１は、例えばゴムなどの弾性体により形成される。弾性回転部材１３１には、円錐面状の傾斜部１３１ａが設けられる。傾斜部１３１ａの側面（外周面）は、弾性回転部材１３１および円筒電極１４２の回転中心線１４１に対して傾斜する円錐面状に形成される。そして、弾性回転部材１３１の傾斜部１３１ａ（円錐面状の部分）と、操作リング１０４の傾斜転動部１０４ａ（傾斜面の部分）とは接触している。このため、操作リング１０４が回転操作されると、その回転が傾斜転動部１０４ａから弾性回転部材１３１に伝達され、弾性回転部材１３１と円筒電極１４２とが一体に回転する。なお、弾性回転部材１３１の傾斜部１３１ａと操作リング１０４の傾斜転動部１０４ａとは、回転中心線１４１に対して傾斜している。このため、これらの接触面も、図２（ｂ）に示すように、回転中心線１４１に対して傾斜する。
【００２３】
第１の電極の例である円筒電極１４２は、円筒状または円柱状に形成されており、その側面（外周面）には、後述する電気的な導通部１４２ａと非導通部１４２ｂとからなる導通／非導通の電極パターンが設けられる。円筒電極１４２の外周には、３つのブラシ電極１４３ａ，１４３ｂ，１４３ｃが接している。そして、円筒電極１４２と３つのブラシ電極１４３ａ，１４３ｂ，１４３ｃとは、操作リング１０４の回転の開始を検出する回転開始検出部１３２を構成する。
【００２４】
さらに、レンズユニット１００には、付勢手段の例であるチャージバネ１４６が設けられる。チャージバネ１４６は、図２（ｂ）に示すように、弾性回転部材１３１の傾斜部１３１ａを操作リング１０４の傾斜転動部１０４ａに接近するように（に押し付けるように）付勢する。図中の矢印Ａは、チャージバネ１４６による付勢方向を示す。チャージバネ１４６による付勢方向（矢印Ａ）は、操作リング１０４の回転中心線１６１および弾性回転部材１３１の回転中心線１４１と平行である。このように、チャージバネ１４６は、操作リング１０４と弾性回転部材１３１を、弾性回転部材１３１の回転中心線１４１に平行な方向に、互いに接近する向きに付勢する。チャージバネ１４６には、例えば、圧縮変形可能なコイルバネが適用され、円筒電極１４２の端面（ここでは、弾性回転部材１３１とは反対側の端面）と一方の軸受部１４４（円筒電極１４２に近い側の軸受部１４４）との間に跨るように設けられる。また、軸受部１４４には、基準位置１４５が設定される。基準位置１４５は、弾性回転部材１３１を矢印Ａの方向へ付勢するための基準となる位置である。すなわち、チャージバネ１４６は、基準位置１４５を端に弾性回転部材１３１を操作リング１０４に対して矢印Ａの方向に付勢する。
【００２５】
このような構成であると、チャージバネ１４６の付勢力によって、弾性回転部材１３１の傾斜部１３１ａと操作リング１０４の傾斜転動部１０４ａとの接触が安定する。そして、操作者等により操作リング１０４が回転操作されると、操作リング１０４の回転が弾性回転部材１３１に伝達され、弾性回転部材１３１と円筒電極１４２とが一体に回転する。円筒電極１４２には３つのブラシ電極１４３ａ，１４３ｂ，１４３ｃが接触していることから、円筒電極１４２が回転すると、３つのブラシ電極１４３ａ，１４３ｂ，１４３ｃが、円筒電極１４２の導通／非導通の電極パターンと摺動する。これにより、後述するように３つのブラシ電極１４３ａ，１４３ｂ，１４３ｃどうしの導通状態が変化する。レンズ制御部１０８は、３つのブラシ電極１４３ａ，１４３ｂ，１４３ｃどうしの導通状態の変化を検出することにより、操作リング１０４への回転操作により操作リング１０４が回転を開始したことを検出できる。このように、本実施形態では、操作リング１０４の回転を円筒電極１４２に伝達し、円筒電極１４２の回転に伴う３つのブラシ電極１４３ａ，１４３ｂ，１４３ｃどうしの導通状態の変化を検出することで、操作リング１０４への回転操作の開始を検出する。
【００２６】
なお、前述のとおり、操作リング１０４の傾斜転動部１０４ａと弾性回転部材１３１の傾斜部１３１ａとは、回転中心線１４１（すなわち、チャージバネ１４６の付勢方向）に対して傾斜している。このため、操作リング１０４には、チャージバネ１４６によるスラスト方向の付勢力が掛かるとともに、ラジアル方向の付勢力も掛かることになる。
【００２７】
このように、本実施形態では、操作リング１０４と弾性回転部材１３１とが、それぞれ回転中心線１４１および付勢方向に対して傾斜する傾斜面状の傾斜転動部１０４ａと円錐面状の傾斜部１３１ａとを有している。そして、操作リング１０４に設けられる傾斜面状の傾斜転動部１０４ａと、弾性回転部材１３１の円錐面状の傾斜部１３１ａとが接触することにより、操作リング１０４の回転が弾性回転部材１３１に伝達される。ここで、このような構成の効果について、比較例を示して説明する。図３は、比較例の構成を模式的に示す図である。比較例は、弾性回転部材１３１と操作リング１０４とが、回転中心線１４１に平行な面を介して接触する構成である。
【００２８】
図３に示す比較例の構成においても、図２（ｂ）に示す本実施形態と同様に、シャフト１４０の両端部が２つの軸受部１４４によって支持される。弾性回転部材１３９は、シャフト１４０および軸受部１４４によって回転可能に支持される。図３に示す比較例の構成においては、弾性回転部材１３９は円柱状に形成されており、操作リング１０４の内周面も円筒状に形成される。そして、弾性回転部材１３９の外周面と操作リング１０４の内周面とは線接触しており、それらの接触線分Ｂは回転中心線１４１に平行である。このような比較例の構成において、弾性回転部材１３９の転動を安定させるためには、弾性回転部材１３９を接触線分Ｂに直角な矢印Ｃ1の方向に付勢しなければならない。しかしながら、シャフト１４０を食いつきなく回転させるためには、シャフト１４０と軸受部１４４の相対位置を不変にしなければならない。このため、弾性回転部材１３９のみを矢印Ｃ1の方向に付勢することはできない。したがって、弾性回転部材１３９を軸受部１４４とともに矢印Ｃ2の方向に付勢する構造にしなければならず、図３に示すような空間Ｈが必要となる。その結果、操作検出部１０５の全体の径方向の寸法Ｌ1が大きくなり、操作検出部１０５の大型化を招く。しかしながら、レンズユニット１００は、特に径方向のスペースの制約が厳しいため、操作検出部１０５の大型化は好ましくない。
【００２９】
これに対して、本実施形態においては、弾性回転部材１３１を、図２に示す矢印Ａの方向（光学系１０１の光軸１０２の方向）へ付勢する構成であるため、径方向の寸法は増加しない。このように、本実施形態では、操作リング１０４と弾性回転部材１３１とが、回転中心線１４１に対して傾斜する傾斜面状の部分と円錐面状の部分とで接して回転を伝達する構成である。このような構成とすることで、操作検出部１０５の径方向の寸法Ｌ1を小さく抑えることができる。
【００３０】
また、本実施形態の構成によれば、操作リング１０４のスラスト方向およびラジアル方向のメカガタを吸収し、安定した回転伝達を維持することが出来る。具体的には次のとおりである。図４は、図１（ｂ）に、操作リング１０４のガタの説明を追加した図である。
【００３１】
操作リング１０４は、レンズユニット１００の不図示の筐体のガタ端１とガタ端２により、スラスト方向の位置が規制される。また、ラジアル方向の位置は、操作リング１０４の内側のガタ端３により規定される。操作リング１０４はレンズユニット１００の筐体に対して回転可能であるため、これらのガタ端１，２，３を端にして、矢印Ｄ1に示すスラスト方向と、矢印Ｄ2に示すラジアル方向に、ある程度のガタを有する。ただし、操作リング１０４の操作感触の向上を図るためには、ガタが微小量であっても、操作感触に影響しないように、ガタを吸収することが好ましい。
【００３２】
弾性回転部材１３１は、チャージバネ１４６により付勢される。この付勢は、固定筒１６０に設けられる軸受部１４４の基準位置１４５（端）から、回転中心線１４１に平行な矢印Ａの方向に行われている。そして、弾性回転部材１３１の傾斜部１３１ａが、操作リング１０４の傾斜転動部１０４ａと接する。このため、チャージバネ１４６による付勢力は、傾斜転動部１０４ａの接触面と垂直な矢印Ｅ方向への付勢に変換される。このような構成であると、操作リング１０４の矢印Ｄ1のスラスト方向のガタは、弾性回転部材１３１が矢印Ｆに示す回転中心線１４１の方向（スラスト方向）に微小移動することで吸収される。この際、チャージバネ１４６による付勢力は、微小移動に伴い変化するものの、接触面に垂直な矢印Ｅ方向への付勢力として安定して維持される。さらに、操作リング１０４の矢印Ｄ2の半径方向（ラジアル方向）のガタは、チャージバネ１４６の付勢力の半径方向分力により、弾性回転部材１３１が矢印Ｆに示すスラスト方向に微小移動することで吸収される。この際、チャージバネ１４６による付勢力は、矢印Ｅ方向への付勢力として安定して維持される。
【００３３】
このように、操作リング１０４と弾性回転部材１３１が回転中心線１４１に対して傾斜する面で接し、光軸方向へ付勢される。このような構成によれば、操作リング１０４のスラスト方向およびラジアル方向の機械的なガタを吸収し、安定した回転伝達を維持することができる。そして、ガタが吸収されるから、操作リング１０４の操作感触を良好に保つことができる。
【００３４】
（回転量検出部）
次に、回転量検出部１０６について、図５を参照して説明する。図５（ａ）は、回転量検出部１０６およびその周辺の構成例を模式的に示す断面図である。図５（ｂ）は、回転量検出部１０６の構成例を模式的に示す図であり、操作リング１０４の回転中心線１６１に平行な方向から見た図である。図５に示すように、固定筒１６０の外側に操作リング１０４が設けられる。操作リング１０４は、固定筒１６０に対して回転可能である。なお、操作リング１０４の固定筒１６０に対する回転の回転中心線１６１は、光学系１０１の光軸中心と一致している。そして、回転量検出部１０６は、固定筒１６０に対する操作リング１０４の回転量および回転方向を検出する。回転量検出部１０６は、操作リング１０４に設けられる櫛歯部１０４ｂと、それぞれが櫛歯部１０４ｂを挟むように固定筒１６０に設けられる２つのフォトインタラプタ１６２ａ，１６２ｂとで構成される。
【００３５】
櫛歯部１０４ｂは、図５（ｂ）に示すように、操作リング１０４の内周側に設けられる。櫛歯部１０４ｂは、複数の遮光部１０４ｂ−ｏおよび非遮光部１０４ｂ−ｉを有する。そして、複数の遮光部１０４ｂ−ｏおよび非遮光部１０４ｂ−ｉとが、円周方向に交互に並べて設けられる。一方、２つのフォトインタラプタ１６２ａ，１６２ｂは、それぞれ、固定筒１６０の外周側に、櫛歯部１０４ｂを挟むように設けられる。また、２つのフォトインタラプタ１６２ａ，１６２ｂは、固定筒１６０の円周方向に、互いに離れた位置に配置される。そして、２つのフォトインタラプタ１６２ａ，１６２ｂが、操作リング１０４の櫛歯部１０４ｂの動きを検出することで、操作リング１０４の回転量と回転方向の検出を行う。すなわち、櫛歯部１０４ｂがフォトインタラプタ１６２ａ，１６２ｂの投光部と受光部の間を通過することで、フォトインタラプタ１６２ａ，１６２ｂにより操作リング１０４の回転量と回転方向が検出される。なお、２つのフォトインタラプタ１６２ａ，１６２ｂを用いて回転方向と回転量を検出する方法には、公知の方法が適用できる。したがって説明を省略する。
【００３６】
（円筒電極の電極パターン）
次に、円筒電極１４２に設けられる電極パターンについて、図６を参照して説明する。図６（ａ）は、円筒電極１４２の斜視図である。図６（ｂ）は、円筒電極１４２の円筒側面部１４２ｃの電極パターンの展開図である。図６（ｃ）（ｄ）（ｅ）は、円筒電極１４２とブラシ電極１４３ａ，１４３ｂ，１４３ｃの接触状態を模式的に示す輪切り断面図であり、図６（ａ）の矢印Ｇの方向から見た図である。図６に示すように、円筒電極１４２の円筒側面部１４２ｃに、電極パターンが配される。電極パターンは、電気的な導体からなり電気を通す導通部１４２ａと、電気的な絶縁体からなり電気を通さない非導通部１４２ｂとを有する。図６（ａ）（ｂ）においては、ハッチングが施された領域が非導通部１４２ｂである。図６（ｃ）〜（ｅ）においては、黒塗りの領域が非導通部１４２ｂである。
【００３７】
図６（ａ）（ｂ）に示すように、円筒側面部１４２ｃの回転中心線１４１に平行な方向の一側寄りの領域（図６（ｂ）においては右寄りの領域）には、複数の導通部１４２ａと非導通部１４２ｂとが配列される。説明の便宜上、この領域を「部分導通領域１７０ａ」と称する。部分導通領域１７０ａにおいて、導通部１４２ａと非導通部１４２ｂとは、いずれも短冊状の形状を有し、円周方向に交互に並べて配列される。複数の導通部１４２ａは、すべて、円周方向寸法と円周方向間隔が等しい。同様に、複数の非導通部１４２ｂは、すべて、円周方向寸法と円周方向間隔とが等しい。ただし、各々の導通部１４２ａの円周方向寸法１７０−ｉは、各々の非導通部１４２ｂの円周方向寸法１７０−ｏよりも短い。一方、部分導通領域１７０ａとは反対側の領域（図６（ｂ）において左寄りの領域）は、円周方向の全周にわたり導通部１４２ａとなっている。説明の便宜上、この領域を「全部導通領域１７０ｂ」と称する。このように、円筒電極１４２は、境界２０１から軸線方向の一側寄りが部分導通領域１７０ａであり、他の一側寄りが全部導通領域１７０ｂである。
【００３８】
円筒側面部１４２ｃの部分導通領域１７０ａには、２つのブラシ電極１４３ａ，１４３ｂが接触している。前述のとおり、部分導通領域１７０ａには、電気的な導通部１４２ａと非導通部１４２ｂとが円周方向に交互に配列される。このため、弾性回転部材１３１が回転すると、２つのブラシ電極１４３ａ，１４３ｂは、円筒側面部１４２ｃの外周面を摺動し、導通部１４２ａと非導通部１４２ｂのいずれに接触するかが切替わる。なお、これら２つのブラシ電極１４３ａ，１４３ｂは、同時に導通部１４２ａに接触しない位置に設けられる。例えば、回転中心線１４１に関して対称の位置に接触するように設けられる。これに対し、円筒側面部１４２ｃの全部導通領域１７０ｂには、１つのブラシ電極１４３ｃが接触している。前述のとおり、全部導通領域１７０ｂには、円周方向の全周にわたって電気的な導通部１４２ａが設けられる。このため、弾性回転部材１３１が回転すると、この１つのブラシ電極１４３ｃが円筒側面部１４２ｃの導通部１４２ａに接触した状態で摺動する。
【００３９】
図６（ｃ）〜（ｅ）は、円筒電極１４２の回転に伴う、円筒側面部１４２ｃと２つのブラシ電極１４３ａ，１４３ｂの接触の状態の変化を表している。具体的には、図６（ｃ）は、導通部１４２ａがブラシ電極１４３ｂと接触している状態を示す。図６（ｄ）は、導通部１４２ａがブラシ電極１４３ｂと接触している状態を示す。図６（ｅ）は、導通部１４２ａが２つのブラシ電極１４３ａ，１４３ｂのいずれにも接触していない状態を示す。
【００４０】
図６（ｃ）〜（ｅ）に示すように、部分導通領域１７０ａにおいて各々の導通部１４２ａの回転中心線１４１を挟んだ反対側には、非導通部１４２ａが設けられる。このため、互いに反対側に設けられる２つのブラシ電極１４３ａ，１４３ｂが、両方同時に導通部１４２ａに接触することはない。また、部分導通領域１７０ａにおいて、非導通部１４２ｂの円周方向寸法は導通部１４２ａよりも大きい。このため、ある非導通部１４２ｂの回転中心線１４１を挟んだ反対側には、導通部１４２ａと他の非導通部１４２ｂの一部が位置する。このような構成であると、互いに反対側に設けられる２つのブラシ電極１４３ａ，１４３ｂが、両方同時に非導通部１４２ｂに接触する状態と、一方が導通部１４２ａに接触し他方が非導通部１４２ｂに接触する状態とになり得る。
【００４１】
このため、円筒電極１４２が回転すると、導通部１４２ａおよび非導通部１４２ｂと２つのブラシ電極１４３ａ，１４３ｂとの関係は、図６（ｃ）（ｄ）（ｅ）のいずれかに示す状態になる。ただし、全部導通領域１７０ｂの外周面は全周にわたって導通部１４２ａであるから、他の１つのブラシ電極１４３ｃは、図６（ｄ）〜（ｅ）のいずれに示す状態においても、常に導通部１４２ａに接触し導通している。このため、弾性回転部材１３１が回転すると、３つのブラシ電極１４３ａ，１４３ｂ，１４３ｃどうしの間の導通状態は、次の（ｉ）〜（ｉｉｉ）の３つの状態のいずれかに順次切替る。（ｉ）ブラシ電極１４３ａとブラシ電極１４３ｃが導通する状態（図６（ｃ））。（ｉｉ）ブラシ電極１４３ｂとブラシ電極１４３ｃが導通する状態（図６（ｄ））。（ｉｉｉ）３つのブラシ電極がすべて非導通の状態（図６（ｅ））。
【００４２】
このように、２つのブラシ電極１４３ａ，１４３ｂと、他の１つのブラシ電極１４３ｃとは、導通部１４２ａを介して導通するか否かが切替わる。これにより、３つのブラシ電極１４３ａ，１４３ｂ，１４３ｃと円筒電極１４２は、２つのスイッチ（１回路２接点スイッチ）として機能する。３つのブラシ電極１４３ａ，１４３ｂ，１４３ｃは、後述する図８に示す回路を介して、レンズ制御部１０８に接続されている。このため、レンズ制御部１０８は、２つのブラシ電極１４３ａ，１４３ｂのそれぞれが他の１つのブラシ電極１４３ｃと導通状態となると、信号ＯＮを検出できる。また、２つのブラシ電極１４３ａ，１４３ｂのそれぞれが他の１つのブラシ電極１４３ｃと非導通の場合は、信号ＯＦＦを検出できる。このように、レンズ制御部１０８は、操作検出部１０５の回転開始検出部１３２によって、円筒電極１４２が回転を開始したか否かを検出できる。
【００４３】
図７は、操作リング１０４を回転させたときの２つのブラシ電極１４３ａ，１４３ｂから検出される信号を図７に示す。図７において、実線はブラシ電極１４３ａの信号を示し、破線はブラシ電極１４３ｂの信号を示す。なお、前述のとおり、２つのブラシ電極１４３ａ，１４３ｂのそれぞれが他の１つのブラシ電極１４３ｃと導通すると、信号ＯＮが検出され、導通しないと信号ＯＦＦが検出される。２つのブラシ電極１４３ａ，１４３ｂは、同時に円筒電極１４２の導通部１４２ａに接触することがない。このため、ブラシ電極１４３ａにおいて信号ＯＮが検出される場合には、ブラシ電極１４３ｂにおいて信号ＯＦＦが検出される。同様に、ブラシ電極１４３ｂにおいて信号ＯＮが検出される場合には、ブラシ電極１４３ａにおいて信号ＯＦＦが検出される。そして、両方のブラシ電極１４３ａ，１４３ｂから同時に信号ＯＮが検出されることはない。操作リング１０４に対する回転操作が開始されたことの検出のためには、このような信号が得られればよい。また、回転量検出部１０６に比較して、分解能が小さくてもよい。さらに、電極パターンの幅の寸法精度が低くても、操作リング１０４の回転操作の開始を検出できる。
【００４４】
ここで、レンズ制御部１０８が操作リング１０４の回転操作の開始を検出するための電気回路について、図８を参照して説明する。図８は、レンズ制御部１０８が操作リング１０４の回転操作の開始を検出するための電気回路の例を示す図である。図８に示す電気回路は、３つのブラシ電極１４３ａ，１４３ｂ，１４３ｃと、レンズ制御部１０８と、リセットＩＣ１０７とに接続される。この電気回路は、３つの端子１９０ａ，１９０ｂ，１９０ｃを有する切替スイッチ１９０（１回路２接点スイッチ）と、２つの電界効果型トランジスタ（ＦＥＴ）１９１ａ，１９１ｂと、２つの抵抗１９４ａ，１９４ｂと、端子１９２ａ，１９２ｂ，１９３ａ，１９３ｂ，１９５とを有する。
【００４５】
切替スイッチ１９０に含まれる２つの端子１９０ａ，１９１ｂは、図１に示す２つのブラシ電極１４３ａ，１４３ｂ（部分導通領域１７０ａに接触するブラシ電極）に対応する。他の１つの端子１９０ｃは、他の１つのブラシ電極１４３ｃ（全部導通領域１７０ｂに接触するブラシ電極）に対応する。このため、操作リング１０４の回転操作に応じて弾性回転部材１３１が回転すると、次の（ｉ）〜（ｉｉｉ）の３つの状態に選択的に切替る。（ｉ）端子１９０ｃと端子１９０ａとが導通する状態。（ｉｉ）端子１９０ｃと端子１９０ｂとが導通する状態。（ｉｉｉ）端子１９０ｃが端子１９０ａ，１９０ｂのいずれにも導通しない状態。
【００４６】
この電気回路の２つの端子１９２ａ，１９２ｂは、それぞれ、レンズ制御部１０８に接続されている。そして、レンズ制御部１０８は、２つのＦＥＴ１９１ａ，１９１ｂのそれぞれのゲート電極に、所定の電圧を印加できる。この電気回路の２つの端子１９３ａ，１９３ｂは、それぞれ、レンズ制御部１０８とリセットＩＣ１０７に接続されている。レンズ制御部１０８とリセットＩＣ１０７は、これらの２つの端子１９３ａ，１９３ｂの電圧のレベルを検出できる。他の端子１９５は、電源Ｖｃｃと接続している。この端子１９５を介して、この電気回路に所定の電圧が印加される。
【００４７】
レンズ制御部１０８は、２つの端子１９２ａ，１９２ｂを介してＦＥＴ１９１ａ，１９１ｂのゲート電極の電圧のＨ（Ｈｉｇｈ）／Ｌ（Ｌｏｗ）の切り替えを行うことで、ＦＥＴ１９１ａ，１９１ｂのＤ（ドレイン）−Ｓ（ソース）間の導通状態を制御できる。すなわち、端子１９２ａの電圧をＨにすると、ＦＥＴ１９１ａのＤ−Ｓ間は導通し、端子１９２ａの電圧をＬにすると、ＦＥＴ１９１ａのＤ−Ｓ間は導通しない。端子１９２ａの電圧がＬである場合、または、切替スイッチ１９０の端子１９０ｃと端子１９０ａとが導通していない場合（ＯＦＦの場合）には、抵抗１９４ａにおいて電圧降下が起こらない。このためこの場合には、端子１９３ａの電圧がＨになる。端子１９２ａの電圧がＨであり、かつ、切替スイッチ１９０の端子１９０ｃと端子１９０ａとが導通している（ＯＮである）と、抵抗１９４ａにおいて電圧降下が起きる。このためこの場合には、端子１９３ａの電圧がＬになる。なお、切替スイッチ１９０の端子１９０ｂ、ＦＥＴ１９１ｂ、端子１９３ｂ、抵抗１９４ｂの電気回路も、切替スイッチ１９０の端子１９０ａ、ＦＥＴ１９１ａ、端子１９３ａ、抵抗１９４ａの電気回路と同様の動作をする。
【００４８】
このような構成によれば、レンズ制御部１０８は、切替スイッチ１９０の端子１９０ｃと端子１９０ａとが導通しているか否か（ＯＮ／ＯＦＦのいずれであるか）と、切替スイッチ１９０の端子１９０ｃと端子１９０ｂとが導通しているか否かを、それぞれ検出できる。そしてこのような構成によれば、切替スイッチ１９０は、レンズユニット１００が低消費電力モードである場合に電力を消費しない。このため、レンズ制御部１０８は、操作部材の例である操作リング１０４の回転操作の開始の検出を、消費電力を抑えて行うことができる。
【００４９】
ここで、リセットＩＣ１０７が実行する処理について説明する。リセットＩＣ１０７は、図８に示す電気回路の端子１９３ａ，１９３ｂと接続されており、これらの２つの端子１９３ａ，１９３ｃの電圧を検出できる。そして、リセットＩＣ１０７は、検出した電圧に応じて、レンズ制御部１０８に信号を送信する。具体的には、リセットＩＣ１０７は、２つの端子１９３ａ，１９３ｂの端子電圧がいずれもＨである場合には、レンズ制御部１０８に信号「Ｌ」を出力する。一方、２つの端子１９３ａ，１９３ｂの一方がＨで他方がＬである場合には、レンズ制御部１０８に信号「Ｈ」を出力する。レンズ制御部１０８は、低消費電力モードである場合に、リセットＩＣ１０７から信号「Ｈ」を受信すると、動作モードを低消費電力モードから撮影可能モードに復帰させる。
【００５０】
（動作モードの切替え処理）
次に、撮影可能モードから低消費電力モードに移行する制御と、低消費電力モードから撮影可能モードに復帰する制御について、図９（ａ）（ｂ）を参照して説明する。図９（ａ）は、レンズ制御部１０８が動作モードを撮影可能モードから低消費電力モードに移行させる制御を示すフローチャートである。
【００５１】
ステップＳ１００において、レンズ制御部１０８は、操作検出部１０５による検出結果などに基づいて、レンズユニット１００の動作モードを低消費電力モードに移行させる低消費電力モード移行条件が成立したか否かを判定する。低消費電力モード移行条件が成立したと判定された場合には、ステップＳ１０１へ進む。低消費電力モード移行条件が成立していないと判定された場合には、ステップＳ１０３へ進む。このステップでは、レンズ制御部１０８は、次のいずれかの場合に、低消費電力モード移行条件が成立したと判定する。（ｉ）カメラ本体１２０の動作モードが低消費電力モードに移行している場合。（ｉｉ）カメラ本体１２０またはレンズユニット１００への操作がある所定の時間にわたって検出されない場合。（ｉｉｉ）端子１９３ａ，１９３ｂの電圧がともにＨではない場合。
【００５２】
ステップＳ１０１において、レンズ制御部１０８は、操作検出動作のセットの処理を実行する。そして、ステップＳ１０２に進む。操作検出動作セットの処理については、後述する。
【００５３】
ステップＳ１０２において、レンズ制御部１０８は、接続されている回転量検出部１０６への電力供給を停止し、レンズユニット１００の動作モードを低消費電力モードに移行させる。そして、フローを終了する。なお、レンズ制御部１０８は、電気回路の２つの端子１９２ａ，１９２ｂの電圧を保持する。
【００５４】
ステップＳ１０３において、端子１９２ａ，１９２ｂの電圧をＬにする。そして、フローを終了する。
【００５５】
次に、図９（ａ）のステップＳ１０１における操作検出動作のセットの制御フローについて、図９（ｂ）を参照して説明する。
【００５６】
ステップＳ１１０において、レンズ制御部１０８は、電気回路の２つの端子１９２ａ，１９２ｂの電圧をＨにする。この際、切替スイッチ１９０の端子１９０ａまたは端子１９０ｂが端子１９０ｃと導通してＯＮとなっている状態であれば、ＦＥＴ１９１ａまたはＦＥＴ１９１ｂのＳに電流が流れ、端子１９３ａ，１９３ｂの電圧はＬになる。
【００５７】
ステップＳ１１１において、レンズ制御部１０８は、端子１９３ａの電圧がＬであるか否かを判定する。レンズ制御部１０８は、端子１９３ａの電圧がＬであると判定した場合には、切替スイッチ１９０の端子１９０ａがＯＮであると判定する。この場合には、ステップＳ１１２に進む。
【００５８】
ステップＳ１１２において、レンズ制御部１０８は、端子１９２ａの電圧をＬにする。端子１９２ａの電圧をＬにすることで、切替スイッチ１９０の端子１９０ａがＯＮであっても電力を消費しない状態になる。また、切替スイッチ１９０の端子１９０ａがＯＮであれば、端子１９０ｂは必ずＯＦＦとなるので、操作リング１０４が回転操作されない限り、切替スイッチ１９０は電力を消費しない状態となる。そして、このフローを終了し、図９（ａ）のステップＳ１０２に進む。
【００５９】
ステップＳ１１１において、レンズ制御部１０８は、端子１９３ａの電圧がＬではないと判定した場合には、端子１９０ａがＯＦＦであると判定する。そしてこの場合には、ステップＳ１１３へ進む。
【００６０】
ステップＳ１１３において、レンズ制御部１０８は、端子１９３ｂの電圧がＬか否かを判定する。レンズ制御部１０８は、端子１９３ｂの電圧がＬであると判定した場合には、端子１９０ｂがＯＮであると判定する。この場合には、ステップＳ１１４に進む。端子１９３ｂの電圧がＬでないと判定された場合には、レンズ制御部１０８は、切替スイッチ１９０の２つの端子１９０ａ，１９０ｂがいずれもＯＦＦであると判定する。この場合には、ステップＳ１１４を経ずにフローを終了し、図９（ａ）のステップＳ１０２に進む。
【００６１】
ステップＳ１１４において、レンズ制御部１０８は、端子１９２ｂの電圧をＬにする。端子１９２ｂの電圧をＬにすることで、切替スイッチ１９０の端子１９３ｂがＯＮであっても、切替スイッチ１９０は電力を消費しない状態となる。また、切替スイッチ１９０の端子１９０ａがＯＦＦであるので、切替スイッチ１９０は、操作リング１０４が回転操作されない限り電力を消費しない状態となる。そして、このフローを終了し、図９（ａ）のステップＳ１０２に進む。
【００６２】
前述のとおり、レンズユニット１００が低消費電力モードに移行しても、端子１９２ａ，１９２ｂへの出力は保持されている。このためこの場合には、リセットＩＣ１０７は、端子１９３ａ，１９３ｂの電圧がいずれもＨであると検出することになる。この場合には、リセットＩＣ１０７は、レンズ制御部１０８に、信号「Ｌ」を送信する。レンズ制御部１０８は、低消費電力モードにおいてリセットＩＣ１０７から信号「Ｌ」を受信した場合には、動作モードを低消費電力モードに維持する。そして、操作リング１０４が操作者により回転操作されると、ブラシ電極１４３ａとブラシ電極１４３ｃとの間、または、ブラシ電極１４３ｂとブラシ電極１４３ｃとの間が、導通部１４２ａを介して導通する。このため、リセットＩＣ１０７は、２つの端子１９３ａ，１９３ｂの一方の電圧がＨであり、他方はＬであることを検出する。この場合には、リセットＩＣ１０７は、レンズ制御部１０８に、信号「Ｈ」を送信する。レンズ制御部１０８は、低消費電力モードにおいてリセットＩＣ１０７から信号「Ｈ」を受信した場合には、動作モードを低消費電力モードから撮影可能モードに復帰させる。このように、レンズ制御部１０８は、操作検出部１０５による検出結果に基づいて、動作モードを切替える。
【００６３】
さらに、レンズ制御部１０８は、低消費電力モードから撮影可能モードに復帰すると、復帰を示す信号を、電気接点１１０を介して、カメラ本体１２０のカメラシステム制御部１２３に送信する。カメラシステム制御部１２３は、この信号を受信すると、カメラ本体１２０が低消費電力モードである場合には、カメラ本体１２０の動作モードを低消費電力モードから撮影可能モードに復帰させる。このように、カメラシステム制御部１２３は、カメラ本体１２０の動作モードを切替える第２の切替手段の例として機能する。
【００６４】
（操作検出部１０５に対するガタの影響）
図４にて説明した操作リング１０４のスラスト方向のガタに起因して、回転開始検出部１３２を構成する円筒電極１４２とブラシ電極１４３ａ，１４３ｂ，１４３ｃがスラスト方向に相対的に移動し、位置関係が変化する。ここで、この円筒電極１４２とブラシ電極１４３ａ，１４３ｂ，１４３ｃの位置関係と出力信号について、図１０を参照して説明する。図１０は展開した円筒電極１４２とブラシ電極１４３ａ，１４３ｂ，１４３ｃのスラスト方向の位置関係を模式的に示す図である。なお、図１０においては、ブラシ電極１４３ａを省略してあるが、ブラシ電極１４３ａのスラスト方向位置は、ブラシ電極１４３ｂと同じである。
【００６５】
図１０に示すように、円筒電極１４２の円筒側面部１４２ｃは、軸線方向の一側寄りの部分（図１０においては右寄りの領域）が部分導通領域１７０ａであり、他の一側寄りの部分（図１０においては左寄りの領域）が全部導通領域１７０ｂである。このように、円筒電極１４２は、軸線方向の一側寄りの領域と他の一側寄りの領域とで構成が異なる。また、円筒電極１４２は、ガタがあると、チャージバネ１４６の付勢力によって、円筒電極１４２がブラシ電極１４３ａ，１４３ｂ，１４３ｃに対して相対的にスラスト方向に相対的に移動することがある。そして、この相対的な移動により、２つのブラシ電極１４３ａ，１４３ｂのそれぞれの少なくとも一部分が部分導通領域１７０ａと全部導通領域１７０ｂの境界２０１に重なると、３つのブラシ電極１４３ａ，１４３ｂ，１４３ｃの導通状態が変化する。具体的には、次のとおりである。
【００６６】
図１０（ａ−１）は、境界２０１が、ブラシ電極１４３ａ，１４３ｂとブラシ電極１４３ｃの間に位置し、３つのブラシ電極１４３ａ，１４３ｂ，１４３ｃが境界２０１に重ならない状態を示す。本実施形態では、この状態が適正な状態であるものとする。図１０（ｂ−１）は、この状態における出力信号を示す図である。図１０（ｂ−１）においては、図７と同様に、実線はブラシ電極１４３ａの信号を示し、破線はブラシ電極１４３ｂの信号を示す。境界２０１と３つのブラシ電極１４３ａ，１４３ｂ，１４３ｃとが図１０（ａ―１）に示す位置関係にあると、前述の動作が実現される。
【００６７】
図１０（ａ−２）は、２つのブラシ電極１４３ａ，１４３ｂのそれぞれの一部分が、境界２０１と重なっている状態を模式的に示す図である。図１０（ｂ−２）は、この状態における出力信号を示す図である。境界２０１と３つのブラシ電極１４３ａ，１４３ｂ，１４３ｃがこのような位置関係にあると、２つのブラシ電極１４３ａ，１４３ｂのそれぞれの少なくとも一部分が、境界２０１を超えて全部導通領域１７０ｂの導通部１４２ａに接触する。このため、これらのブラシ電極１４３ａ，１４３ｂは、円筒電極１４２の位相（回転角度）に係わらず、常に導通部１４２ａと接することになる。この状態では、これら２つのブラシ電極１４３ａ，１４３ｂの出力信号は、図１０（ｂ−２）に示すように、常にＯＮとなる。このような状態であると、前述の動作は実現されない。
【００６８】
図１０（ａ−３）は、ブラシ電極１４３ｃの一部分が境界２０１に重なっている状態を模式的に示す図である。図１０（ｂ−３）は、この状態における出力信号を示す図である。境界２０１と３つのブラシ電極１４３ａ，１４３ｂ，１４３ｃがこのような位置関係にあっても、出力信号は、図１０（ａ−１）と同一となる。このため、前述の動作が実現される。ただし、制御の信頼性の観点からは、ブラシ電極１４３ｃの全幅が導通部１４２ａに接触していることが好ましい。また、図１０に示すように、ブラシ電極１４３ａ，１４３ｂ，１４３ｃの先端が複数に分かれている（図１０では３本に分かれている）構成では、それぞれが全幅において確実に導通部１４２ａと接触していることが好ましい。
【００６９】
なお、境界２０１がスラスト方向にさらに大きく外れ、図１０においてブラシ電極１４３ｃの左端より左側にずれた場合や、ブラシ電極１４３ａ，１４３ｂの右端より右側にずれた場合には、前述の動作は実現しない。このため、本実施形態では、このような大きなずれが発生しないように、操作リング１０４のスラスト方向の移動を２つの軸受部１４４などによって規制する。
【００７０】
なお、円筒電極１４２は、チャージバネ１４６による付勢力により、図１０中の矢印Ａのスラスト方向左側へと付勢される。このため、操作者が操作リング１０４に触れない状態（すなわち、外力が掛かっていない状態）では、円筒電極１４２は、図１０中、最も左側に位置し、操作者が操作した際に右側に動くことになる。また、レンズユニット１００（レンズ制御部１０８）が低消費電力モードに移行するタイミングにおいては、操作リング１０４は操作されていない。このため、この場合には、円筒電極１４２は最も左側に位置することになる。
【００７１】
なお、本実施形態では、円筒電極１４２と３つのブラシ電極１４３ａ，１４３ｂ，１４３ｃが、図１０（ａ−２）に示す状態にあることが好ましい。そこで、本実施形態では、円筒電極１４２がスラスト方向の可動範囲のいずれの位置に移動しても、図１０（ａ−２）に示す状態を維持できることが好ましい。例えば、ガタ端１，２，３の位置や、２つの軸受部１４４の位置を設定することによって、図１０（ａ−２）に示す状態を維持する構成が適用できる。
【００７２】
また、円筒電極１４２およびブラシ電極１４３ａ，１４３ｂ，１４３ｃのスラスト方向の寸法を短く抑えたい場合には、ブラシ電極１４３ａ，１４３ｂとブラシ電極１４３ｃとのスラスト方向の距離を短くすることになる。この場合には、操作リング１０４の操作時において、ガタにより図１０（ａ−１）に示す状態から図１０（ａ−２）に示す状態になりやすい。図１０（ａ−２）に示す状態となると、前述の動作を実現できない。そこで、レンズ制御部１０８が、次のような制御を行う構成であってもよい。
【００７３】
円筒電極１４２とブラシ電極１４３ａ，１４３ｂ，１４３ｃとの位置関係が、図１０（ａ−１）に示す状態から図１０（ａ−２）に示す状態に変化すると、出力信号は、図１０（ｂ−１）示す信号から図１０（ｂ−２）に示す信号に変化する。図１０（ｂ−１）と図１０（ｂ−２）に示すように、図１０（ａ−１）に示す状態と図１０（ａ−２）に示す状態とでは、出力信号が相違する。レンズ制御部１０８は、出力信号の変化を検出することにより、レンズユニット１００の動作モードを切替える制御を行う。すなわち、図１０（ａ―２）の状態となると、出力信号は、図１０（ｂ−２）に示すように、２つの端子１９３ａ，１９３ｂがともにＨとなる。そこで、レンズ制御部１０８は、図１０（ｂ−２）に示すような出力信号を検出した場合には、操作リング１０４に対し操作が加えられていると判断し、動作モードを低消費電力モードに移行させず、すでに低消費電力モードである場合には撮影可能モードに復帰させる。このような制御によれば、円筒電極１４２およびブラシ電極１４３ａ，１４３ｂ，１４３ｃのスラスト方向の寸法を短く抑えたい場合においても、操作リング１０４への操作開始を検出して、低消費電力モードから撮影可能モードへ復帰させることができる。
【００７４】
本発明の第１の実施形態によれは、操作リング１０４の操作によってレンズユニット１００の動作モードを低消費電力モード撮影可能モードに復帰させることができる。さらに、良好な操作感触と安定した回転伝達の両立を図ることができる。
【００７５】
＜第２の実施形態＞
次に、本発明の第２の実施形態にかかる操作検出部１０５について説明する。第２の実施形態は、操作検出部１０５の光軸方向の寸法Ｌ2を小さく抑える形態である。図１１は、第２の実施形態に係る操作検出部１０５の構成例を模式的に示す図であり、図２に対応する図である（ただし、操作リング１０４は省略してある）。なお、図１１（ａ）は斜視図であり、図１１（ｂ）は断面図である。なお、第１の実施形態と相違する構成についてのみ説明する。以下、説明を省略する部分については、第１の実施形態と共通する構成が適用される。また、第１の実施形態と共通の機能を有する部分には、同じ符号を付している。
【００７６】
第２の実施形態においては、付勢ブラシ電極１４７が、第１の実施形態におけるブラシ電極１４３ｃとチャージバネとの両方の機能を有する。図１１（ａ）に示すように、付勢ブラシ電極１４７は、舌片状の構成を有しており、円筒電極１４２の回転中心線１４１の方向に弾性変形可能である。そして、付勢ブラシ電極１４７は、円筒電極１４２の一方の端面（弾性回転部材１３１と反対側）に接しており、弾性回転部材１３１を、図略の操作リング１０４の傾斜転動部１０４ａに接近する向きに付勢する。また、円筒電極１４２の一方の端面に導通部１４２ａが設けられ、付勢ブラシ電極１４７は、円筒電極１４２の端面の導通部１４２ａに接触する。このような構成であると、第１の実施形態における全部導通部を設けなくてよいから、第１の実施形態に比較して、円筒電極１４２の軸線方向寸法を小さくできる。なお、付勢ブラシ電極１４７は、２つのブラシ電極１４３ａ，１４３ｂの導通状態にかかわらず、円筒電極１４２の端面の導通部１４２ａに常時接触している。
【００７７】
このように、付勢ブラシ電極１４７は、操作検出手段としての機能と、弾性回転部材１３１の傾斜部１３１ａを操作リング１０４の傾斜転動部１０４ａへ接近する向きに付勢する付勢手段としての機能とを備えることになる。このような構成によれば、２つのブラシ電極１４３ｂ，１４３ｃが回転中心線１４１に平行に並べで配置され、かつ、チャージバネ１４６が設けられるという構成（第１の実施形態）に比較して、操作検出部１０５の回転中心線１４１に平行な方向の寸法Ｌ2を小さくできる。なお、ここでは、操作検出部１０５の回転中心線１４１に平行な方向の寸法Ｌ2として、２つの軸受部１４４の端面どうしの距離を示す。
【００７８】
その他の構成や、レンズ制御部１０８およびカメラシステム制御部１２３の制御は、第１の実施形態と共通でよい。第２の実施形態においても、第１の実施形態と同様の効果を奏することができる。すなわち、操作リング１０４の操作によってレンズユニット１００の動作モードを低消費電力モード撮影可能モードに復帰させることができる。さらに、良好な操作感触と安定した回転伝達の両立を図ることができる。
【００７９】
以上、本発明の実施形態について詳細に説明したが、上述した実施形態は、本発明を実施するにあたっての具体例を示したに過ぎず、本発明の技術的範囲は、上述した実施形態に限定されない。本発明は、その趣旨を逸脱しない範囲において、種々の変更が可能である。
【００８０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2016118576.tif 000003
【図２】
2016118576.tif 000004
【図３】
2016118576.tif 000005
【図４】
2016118576.tif 000006
【図５】
2016118576.tif 000007
【図６】
2016118576.tif 000008
【図７】
2016118576.tif 000009
【図８】
2016118576.tif 000010
【図９】
2016118576.tif 000011
【図１０】
2016118576.tif 000012
【図１１】
2016118576.tif 000013